(57)【要約】【課題】製造が容易であり、光学特性に優れた小型化可能なカメラモジュールを提供する。【解決手段】カメラモジュールは、複数のレンズを収容し、複数のレンズを一体的に保持する筐体を有し、筐体には複数のレンズ間の光路開口に連通する開口が設けられているレンズ部と、筐体の開口に挿入され、レンズの光軸と交差する方向に移動する羽根部とを有する。【選択図】図６
2018054823.tif 000002
【特許請求の範囲】
【請求項１】
複数のレンズを収容し、当該複数のレンズを一体的に保持する筐体を有し、前記筐体には前記複数のレンズ間の光路開口に連通する開口が設けられている、レンズ部と、
前記筐体の前記開口に挿入され、前記レンズの光軸と交差する方向に移動する羽根部と、
を有する、
レンズユニット。
【請求項２】
前記筐体の前記開口は、スリットである、
請求項１記載のレンズユニット。
【請求項３】
前記羽根部は、重畳して配置され、且つ、前記光路開口を形成する開口部をそれぞれ有する複数の羽根を有し、
前記開口部は、前記複数の羽根が相対移動することによりそれぞれ移動して、前記光路開口の開口径を可変させる、
請求項１又は２に記載のレンズユニット。
【請求項４】
前記開口は、前記光軸と直交するように前記光路開口に連通し、
前記複数の羽根は、前記開口に挿入されて、前記光軸と直交する同一直線上を進退移動自在に設けられ、
前記それぞれの開口部は、移動方向に延在し、且つ、移動方向の一端部側で前記光路開口径を有し、他端部側に向かって狭窄する雫状である、
請求項３記載のレンズユニット。
【請求項５】
請求項１〜４のいずれか一項に記載のレンズユニットと、
前記レンズユニットを光軸方向に移動するレンズ駆動装置と、
前記レンズユニットにより結像する撮像部と、
を有するカメラモジュール。
【発明の詳細な説明】
【技術分野】
【０００１】
本発明は、複数のレンズを有するレンズユニット及び、カメラモジュールに関する。
【背景技術】
【０００２】
一般に、スマートフォン等の携帯端末には、小型のカメラモジュールが搭載されている。このようなカメラモジュールには、画質向上のために必要な被写体を撮影するときのピント合わせを自動的に行うオートフォーカス機能（以下「ＡＦ機能」と称する、ＡＦ：Auto Focus）を有するレンズ駆動装置が適用される。
【０００３】
オートフォーカス用のレンズ駆動装置は、レンズ部を光軸方向に移動させるためのオートフォーカス用駆動部（以下「ＡＦ用駆動部」と称する）を備える。ＡＦ用駆動部は、例えばレンズ部の周囲に配置されるオートフォーカス用コイル部（以下「ＡＦ用コイル部」と称する）と、ＡＦ用コイル部に対して径方向に離間して配置されるオートフォーカス用マグネット部（以下「ＡＦ用マグネット部」と称する）とを有する。ＡＦ用コイル部とＡＦ用マグネット部とで構成されるボイスコイルモーターの駆動力を利用して、ＡＦ用マグネット部を含むオートフォーカス固定部（以下「ＡＦ固定部と称する）に対してレンズ部及びＡＦ用コイル部を含むオートフォーカス可動部（以下「ＡＦ可動部」と称する）を光軸方向に移動させることにより、自動的にピント合わせが行われる。
【０００４】
一方、従来からカメラモジュールにおいて、撮像素子に入射する光量をシャッタや絞りにより調整することによって画質を改善するため、ＡＦ用駆動部にシャッタ部や絞り部等を備えた撮像装置が、従来から種々提案されている（例えば、特許文献１，２参照）。
【０００５】
ＡＦ用駆動部と、シャッタ部或いは絞り部等のようにレンズに入る光量を遮断或いは調整する機能を備えた撮像装置では、ＡＦ駆動部により駆動されるレンズ部に重なる位置に、メカシャッタ或いは絞り部等の別ユニットを配置している。
【０００６】
例えば、特許文献１及び特許文献２では、レンズ部の上部に、メカシャッタを有する装置を配置し、特に、特許文献２では、メカシャッタに加えて、２枚の羽根の動作によりレンズに入る光量を調整する絞り部を有する装置を、レンズ部の上部に配置して光学特性を向上させることにより、画質の向上が図られている。
【先行技術文献】
【特許文献】
【０００７】
【特許文献１】特開２００７−１７９５７号公報
【特許文献２】特開２０１０−１９１１３０号公報
【発明の概要】
【発明が解決しようとする課題】
【０００８】
画質向上のためにメカシャッタ或いは絞り機構を有する従来のカメラモジュールの構成では、複数のレンズ群の上部に、メカシャッタ或いは絞り部を取り付ける際に、レンズ群の光軸を一致させつつ接合させる必要があるため、その工程に手間がかかるという問題があった。
【０００９】
本発明はかかる点に鑑みてなされたものであり、製造が容易であり、光学特性に優れた小型化可能なカメラモジュールを実現するレンズユニットを提供することを目的とする。
【課題を解決するための手段】
【００１０】
本発明のレンズユニットの一つの態様は、
複数のレンズを収容し、当該複数のレンズを一体的に保持する筐体を有し、前記筐体には前記複数のレンズ間の光路開口に連通する開口が設けられている、レンズ部と、
前記筐体の前記開口に挿入され、前記レンズの光軸と交差する方向に移動する羽根部と、
を有する構成を採る。
【００１１】
本発明のカメラモジュールの一つの態様は、上記構成のレンズユニットと、
前記レンズユニットを光軸方向に移動するレンズ駆動装置と、
前記レンズユニットにより結像する撮像部と、
を有する構成を採る。
【発明の効果】
【００１２】
本発明によれば、製造が容易であり、光学特性に優れた小型化可能なカメラモジュールをできる。
【図面の簡単な説明】
【００１３】
【図１】本発明に係る一実施の形態のレンズユニットを搭載したカメラモジュールを示す斜視図である。
【図２】同カメラモジュールの分解斜視図である。
【図３】同カメラモジュールの断面図である。
【図４】本発明に係る一実施の形態のレンズユニットの分解斜視図である。
【図５】図４のＡ−Ａ線断面図である。
【図６】図４のＢ−Ｂ線断面図である。
【図７】本発明に係る一実施の形態のレンズユニットの羽根部の正面図である。
【図８】本発明に係る一実施の形態のレンズユニットにおける羽根部分の動作を示す図である。
【図９】本発明に係る一実施の形態のレンズユニットにおける羽根部分の動作を示す図である。
【発明を実施するための形態】
【００１４】
以下、本発明の実施の形態について、図面を参照して詳細に説明する。
【００１５】
図１は、本発明に係る一実施の形態のレンズユニットを搭載したカメラモジュールを示す斜視図であり、図２は、同カメラモジュールの分解斜視図であり、図３は、同カメラモジュールの断面図である。なお、図３では、便宜上、レンズユニット部分以外を断面で示す。図１乃至図３に図示した状態では、直交座標系（Ｘ，Ｙ，Ｚ）において、Ｘ軸は前後方向（奥行方向）であり、Ｙ軸は左右方向（幅方向）であり、Ｚ軸は上下方向（高さ方向）である。そして、図１乃至図３に示す例においては、上下方向Ｚがレンズの光軸Ｏ方向である。
【００１６】
但し、実際の使用状況においては、光軸Ｏ方向、すなわち、Ｚ軸方向が前後方向となる。換言すれば、Ｚ軸の上方向が前方向となり、Ｚ軸の下方向が後方向となる。
【００１７】
カメラモジュール１０は、レンズ駆動装置２０と、撮像部３０と、レンズユニット４０とを有する。
【００１８】
カメラモジュール１０は、例えば、オートフォーカス（Auto Focus、以下、「ＡＦ」と称する）可能なカメラ付き携帯電話に備えられる。レンズ駆動装置２０は、所謂、ＡＦ用駆動部である。
【００１９】
レンズユニット４０は、被写体側から順番に、それぞれ少なくとも１枚以上のレンズからなる第１のレンズ群４２及び第２のレンズ群４３（図５及び図６参照）を含む。レンズユニット４０は、移動レンズ体とも呼ばれ、詳細については後述する。
【００２０】
図１〜図３に示すレンズ駆動装置２０は、レンズユニット４０を光軸Ｏ方向に移動させるためのものである。
【００２１】
レンズ駆動装置２０は、Ｚ軸方向（光軸Ｏ方向）の下側（後側）に配置された枠状のベース２７を有する。このベース２７の下部（後部）に、撮像部３０が搭載される。
【００２２】
撮像部３０は、モジュール基板３２と、このモジュール基板３２上に配置された撮像素子３４と、モジュール基板３２と組み合わされて、撮像素子３４を封止する密閉空間を形成する封止部材３６とから構成される。撮像素子３４は、レンズユニット４０により結像された被写体像を撮像して電気信号に変換する。撮像素子３４は、例えば、ＣＣＤ（charge coupled device）型イメージセンサ、ＣＭＯＳ（complementary metal oxide semiconductor）型イメージセンサ等により構成される。
【００２３】
レンズ駆動装置２０は、第１の駆動コイル２５と、マグネット部２６を備えたヨーク２８と、レンズホルダ２１の環状部２１０の光軸Ｏ方向両側に設けられた一対の板バネ２２、２４を備える。一対の板バネ２２、２４は、レンズホルダ２１を径方向に位置決めした状態で光軸Ｏ方向に変位可能に支持する。一対の板バネ２２、２４のうち、一方の板バネ２２は上側板バネ（スプリング）と呼ばれ、他方の板バネ２４は下側板バネ（スプリング）と呼ばれる。レンズホルダ２１は、環状部２１０（図５参照）でレンズバレル部４５を保持する。環状部２１０の周囲には、第１の駆動コイル２５が配設されている。
【００２４】
図１及び図２に示すように、ヨーク２８は四角筒状をしている。すなわち、ヨーク２８は、四角筒形状の外筒部２８２と、この外筒部２８２の上端（前端）に設けられた四角形のリング状の開口部を有するヨーク上面部２８４とを有する。
【００２５】
一方、マグネット部２６は、第１の駆動コイル２５と対向するようにヨーク２８に設けられる。マグネット部２６は、ヨーク２８の四隅に配置される断面三角形の４つの永久磁石片２６２から構成される。ヨーク２８の外筒部２８２の内周面に、駆動コイル２５と間隔をおいて、マグネット部２６が配置されている。
【００２６】
これらマグネット部２６と、このマグネット部２６で発生された磁束と相互作用するように電流が流れる第１の駆動コイル２５とが、レンズユニット４０を光軸方向に移動させる駆動回路を構成する。すなわち、レンズ駆動装置２０は、オートフォーカス用駆動部として機能する。
【００２７】
上側板バネ２２はレンズホルダ２１における光軸Ｏ方向上側（前側）に配置され、下側板バネ２４はレンズホルダ２１における光軸Ｏ方向下側（後側）に配置される。上側板バネ２２と下側板バネ２４とは、略同一構成をしている。
【００２８】
具体的には、上側板バネ２２は、レンズホルダ２１に取り付けられた内周側端部２２２と、ヨーク２８に取り付けられた外周側端部２２４とを有する。内周側端部２２２と外周側端部２２４との間には、４つの腕部２２６が設けられている。各腕部２２６は、内周側端部２２２と外周側端部２２４とを繋いでいる。
【００２９】
同様に、下側板バネ２４は、レンズホルダ２１に取り付けられた内周側端部（図示せず）と、ベース２７上に取り付けられた外周側端部２４４とを有する。内周側端部と外周側端部２４４とに間には、４つの腕部が設けられている。各腕部は、内周側端部と外周側端部２４４とを繋いでいる。なお、内周側端部は内輪とも呼ばれ、外周側端部は外輪とも呼ばれる。
【００３０】
なお、レンズホルダ２１の環状部２１０の内周壁には雌ネジ（図示せず）が切られている。一方、レンズバレル部４５の外周壁には、上記雌ネジに螺合される雄ネジ（図示せず）が切られている。従って、レンズバレル部４５をレンズホルダ２１に装着するには、レンズバレル部４５をレンズホルダ２１の環状部２１０に対して光軸Ｏ周りに回転して光軸Ｏ方向に沿って螺合することにより、レンズバレル部４５をレンズホルダ２１内に収容し、接着剤なとによって互いに接合する。
【００３１】
図４は、本発明の一実施の形態に係るレンズユニットの分解斜視図である。図５は、図４のＡ−Ａ線断面図であり、図６は図４のＢ−Ｂ線断面図である。なお、図５及び図６では、羽根駆動部６５を、省略して示す。また、図４〜図６も図１〜図３と同様に直交座標系（Ｘ，Ｙ，Ｚ）を使用している。
【００３２】
レンズユニット４０は、レンズホルダ２１の環状部２１０と、第１レンズ群４２、第２レンズ群４３と、レンズバレル部４５と、羽根部６１（羽根６２、６３）と、羽根駆動部６５とを有する。レンズバレル部４５は、第１レンズ群４２、第２レンズ群４３とともにレンズ部を構成する。本実施の形態では、レンズバレル部４５は、レンズ部の筐体として説明するが、レンズ部を、第１レンズ群４２、第２レンズ群４３、レンズバレル部４５及びレンズホルダ２１とで構成し、レンズ部の筐体をレンズバレル部４５とレンズホルダ２１とで構成してもよい。
【００３３】
第１レンズ群４２は、ここでは１つのレンズにより構成され、第２レンズ群４３は、レンズ４３ａ〜４３ｃを有する。レンズ群４２、４３は、それぞれ光軸Ｏを同一軸心となるようにレンズバレル部４５により収容された状態で支持されている。
【００３４】
レンズバレル部４５は、上述したように、外周に形成される雄ネジを介してレンズホルダ２１に螺合されている。レンズホルダ２１の上部は蓋部２９により覆われる。
【００３５】
レンズバレル部４５には、周壁部の所定の高さに、光軸Ｏと交差する方向（本実施の形態では、直交方向）に貫通し、複数のレンズ群４２、４３間の光路開口に連通する開口（スリット４５１）が形成されている。
【００３６】
レンズバレル部４５の開口はスリット４５１であり、スリット４５１に羽根部６１（羽根６２、６３）が挿入される。
レンズバレル部４５の開口（以下、「スリット４５１」とも称する）は、挿入される羽根６２、６３を、レンズバレル部４５に位置決め支持する。ここでは、スリット４５１は、羽根６２、６３がそれぞれ挿入されて移動する移動領域４５２、４５４を積層した状態で備える。
スリット４５１は、Ｚ方向では、レンズ群４２、４３との間の位置に配置される。
スリットにおける移動領域４５２は、撮像素子側の移動領域４５２の幅よりも被写体側の移動領域４５４の幅が広くなっていることが好ましい。これにより、移動領域４５４に配置される被写体側の羽根６３自体が、移動領域４５２に配置される羽根６２のガイドとなり、羽根６２の被写体側への移動を規制できる。
【００３７】
このように、スリット４５１は、移動領域４５２、４５４に挿入される羽根６２、６３をそれぞれレンズ群４２、４３の間に位置決めする。移動領域４５２、４５４が羽根６２、６３を案内し、羽根６２、６３をレンズの光軸と直交する方向に移動可能とする。これにより、複数のレンズ間（ここでは、レンズ群４２、４３の間）の光路開口の開口径を可変して光路の通過光量が調節される。
【００３８】
羽根部６１は、レンズバレル部４５（レンズ部の筐体）の開口であるスリット４５１に挿入され、レンズ群４２、４３の光軸と交差する方向に移動することにより、スリット４５１と連通する光路開口を開閉、つまり、光路開口の開口径を可変して、レンズ群４３を通過する被写体光の光量を制御する。羽根部６１は、ここでは、複数の羽根６２、６３を有し、羽根６２、６３は、その位置に応じて、レンズ部を通過する被写体光量を機械的に制限して調整する。本実施の形態では、羽根駆動部６５とともに絞り機構部を構成する。
【００３９】
羽根６２、６３は、第１のレンズ群４２と、第２レンズ群４３との間で、光軸Ｏと直交する方向で、且つ、光軸Ｏを横切るように進退移動自在に配置される。
【００４０】
羽根６２、６３は、レンズバレル部４５において、スリット４５１に、光軸Ｏ方向に交差する方向に移動可能に挿通されている。羽根６２、６３は、互いが相対的に移動することにより、レンズ群４３へ侵入する光量を調整する。
【００４１】
本実施の形態の羽根６２、６３は、略矩形状の薄板（板状本体部）６２２、６３２であり、互いが重なるようにスライド移動する。
【００４２】
図７は、本発明に係る一実施の形態のレンズユニットの羽根の正面図であり、図７（ａ）は羽根６３を示し、図７（ｂ）は、羽根６２を示す。
【００４３】
羽根６２、６３は、それぞれの薄板６２２、６３２の中央部分に開口部６２４、６３４が形成されている。開口部６２４、６３４は、複数の羽根６２、６３が相対移動することによりそれぞれ移動して、レンズ群４２、４３間の光路開口の開口径を可変させる。互いの開口部６２４、６３４が光軸Ｏと直交する方向に移動することにより、レンズ群４３が被写体側に露出する断面積の広さを調整し、レンズ群４３への光量を設定する。なお、羽根６２．６３は、撮像素子３４側よりも被写体側にある羽根６２の方が、厚みを有するように形成されることが望ましい。羽根６２が撓みにくく、羽根６３の移動の際に好適に案内することができ、羽根６３を薄くする分、レンズユニット自体の光軸方向の厚みを薄くでき、一層小型化を図ることができる。
【００４４】
薄板６２２、６３２は、それぞれ移動方向に延在する長尺であり、長手方向の一端部にはアーム部６２６、６３６がそれぞれ突出して設けられ、アーム部６２６、６３６を介して、開口部６２４、６３４の移動が操作される。アーム部６２６、６３６の先端側には、羽根駆動部６５の接続される接続部としての穴６２８、６３８が形成されている。
【００４５】
本実施の形態では穴６２８、６３８は重畳する羽根６２、６３において、近接する位置に配置される。これにより、羽根駆動部６５を一か所に纏めて配置できる。
【００４６】
羽根６２、６３は、移動することにより、光軸Ｏを中心とした同心円或いは略同心円で、その径が変化するように構成される。開口部６２４、６３４は、互いの移動方向側の端部同士を、光軸Ｏを中心として重ねることにより、外径が拡縮する光路開口を形成する。ここでは、それぞれの開口部６２４、６３４は、移動方向に延在し、且つ、それぞれが離間する方向側の端部が狭窄する長穴状に形成されている。
【００４７】
図７に示すように、本実施の形態では、羽根６２、６３の開口部６２４、６３４は、移動方向の一端側がレンズ部の全面を露出させる外形の円形状部分６２４ａ、６３４ａを有し、この円形状部分６２４ａ、６３４ａから移動方向の他端側に向かって狭窄する雫状に形成されている。これら開口部６２４、６３４における他端側の小突起部分６２４ｂ、６３４ｂを用いて最も絞り込んだ光路開口が形成される。
【００４８】
羽根６２、６３は、移動方向の中心に、光軸Ｏが通るように配置され、雫状の開口部６２４、６３４は、移動方向に沿って延在する中心軸を光軸Ｏが通過する（ここでは直交して通過）ように配置される。
【００４９】
図４に示す羽根駆動部６５は、羽根６２、６３を駆動してレンズ群４２、４３間の光路を通過する光量を調整する。羽根駆動部６５は、羽根６２、６３を光軸Ｏと交差する方向にそれぞれ移動させ、羽根６２、６３によりレンズ群４３上の被写体側の光路の開口度合いを調整する。これにより、レンズ群４３への光量が調整される。羽根駆動部６５は、レンズ群４３より被写体側の光量を調整するものであれば、どのように構成されてもよい。
【００５０】
本実施の形態では、例えば、図４に示すように、羽根駆動部６５は、両端で羽根６２、６３のそれぞれに接続されるレバー部６５１と、レバー駆動部６５９とを有するようにしてもよい。
【００５１】
レバー部６５１の両端部には、羽根６２、６３側に向かって突出する枢着突起部６５２、６５３が設けられる。これら枢着突起部６５２、６５３は、羽根６２、６３のアーム６２６、６３６の先端の穴（ここでは長穴）６２８，６３８にそれぞれ遊嵌した状態でている。
【００５２】
レバー部６５１は、枢着突起部６５２、６５３間に軸部６５６を枢着突起部６５２、６５３と平行に設けられており、レバー部６５１は、軸部６５６を中心に回転駆動する。レバー部６５１の回転により、その両端で接続された羽根６２、６３は、アーム部６２６、６３６を介して、光軸Ｏに直交する直線上で、それぞれ異なる方向に相対移動する。レバー部６５１の軸部６５６を中心とした回転角度により、羽根６２、６３の開口部６２４、６３４により形成される光路開口を全開放状態から全閉状態までの間で調整できる。
【００５３】
レバー部６５１には、レバー部６５１を回転させるレバー駆動部６５９が接続されている。例えば、レバー駆動部６５９は、レバー部６５１にアームを介して接続される羽根駆動用コイルと羽根駆動用マグネットとする。羽根駆動用コイルは、羽根駆動用マグネットの磁界との相互作用によって流れる電流による磁界との相互作用によってレバー部６５１を回動させる。
これにより、羽根６２、６３を相対移動させる。羽根駆動部６５では、例えば、ＡＦ用マグネット部２６を、羽根駆動のためのマグネットと兼用すれば、別途マグネットを配置する必要がない。これにより、羽根駆動部６５は、マグネット部が不要であるので、部品点数を少なくして、構造が簡易で、且つ、軽量化が図れるカメラモジュールとなる。
【００５４】
＜羽根の動作＞
図８及び図９は、本発明に係る一実施の形態のレンズユニットにおける羽根の動作を示す図である。
【００５５】
羽根駆動部６５の駆動により、羽根６２、６３は、光軸Ｏと交差する方向で、それぞれ相対的に進退移動する。本実施の形態では、羽根６２、６３は、光軸Ｏを通り、且つ光軸Ｏに直交する方向で、それぞれ異なる方向に進退移動する。
【００５６】
まず、絞りの全開放状態では、図８に示すように、羽根６２、６３の開口部６２４、６３４の円形部分６２４ａ、６３４ａが重なるように、薄板６２２、６３２が最も広い面積で重なる位置に移動させる。
【００５７】
この状態で、レバー部６５１を回転駆動すると、羽根６２はレバー部６５１により引っ張られ、羽根６３よりもレバー部６５１側（矢印−Ｙ方向）に移動し、羽根６３は羽根６２よりもレバー部６５１から離間する方向（矢印Ｙ方向）に移動する。
【００５８】
これにより、図９に示すように、羽根６２、６３の開口部６２２、６３２の狭窄側の小突起部分６２４ｂ、６３４ｂが、それぞれ同一直線上を移動方向で対称に光軸Ｏ側に移動する。すると、レンズ群４２、４３の間で、レンズ群４２、４３のそれぞれに対向する位置において、羽根６２、６３の開口部６２２、６３２により形成される円形の開口を、光軸Ｏを中心に略同心円上で、縮径させることができる。
【００５９】
これにより、レンズ部における絞りのための開口を、光軸Ｏを中心に最大限から最小限に小さくして絞り、露光を調整できる。
【００６０】
本実施の形態によれば、複数のレンズを収容して、一体的に保持するレンズ部の筐体（レンズバレル部４５）に、可動により形成する絞り開口の中心を光軸Ｏに一致させる必要がある羽根６２、６３が位置決めされて一体的に備えている。
【００６１】
これにより、光軸を一致させる際の精度を向上させることができ、複数のレンズ群の間に、絞り開口を形成する構成であっても、それぞれ別体である場合と異なり、それぞれの光軸を容易に一致させることができる。よって、製造が容易である。また、絞り機構部を別装置ではなく、レンズ部に一体に設けており、さらに、絞り羽根６２、６３は薄板であり、光軸Ｏに直交して積層して配置しているので、カメラモジュール全体として小型化を図ることができる。
【００６２】
以上、本発明についてその好ましい実施の形態によって説明してきたが、本発明の精神を逸脱しない範囲内で、種々の変形が当業者によって可能であるのは明らかである。なお、本実施の形態では、羽根６２、６３は、絞り用の羽根として説明したが、これに限らず、レンズ部の光路の開閉を行うものであれば、どのようなものでも適用できる。例えば、シャッタの羽根として用いてもよい。例えば、上記実施の形態では、レンズユニット４０は、羽根駆動部を絞り用の羽根６２、６３を有するようにしたが、同様の構成のシャッタ用の羽根を、羽根６２、６３と同様に、レンズホルダの上端に設けて、レンズ部の正面を開閉するようにしてもよい。また、上記実施の形態では、羽根６２、６３の二つの羽根により絞りの開閉を行う構成としたが、これに限らず、２枚以上の羽根をそれぞれ好適に作動させて、それぞれの開口部により光軸を中心とした同心円の開口が形成されるように構成してもよい。
【００６３】
また、本実施の形態のカメラモジュール１０は情報機器或いは輸送機器であるカメラ搭載装置に適用してもよい。情報機器であるカメラ搭載装置とは、カメラモジュールとカメラモジュールで得られた画像情報を処理する制御部を有し、カメラ付き携帯電話機、ノート型パソコン、タブレット端末、携帯型ゲーム機、ｗｅｂカメラ、カメラ付き車載装置（例えば、バックモニター装置、ドライブレコーダー装置）等を含む。また、輸送機器であるカメラ搭載装置とは、カメラモジュールとカメラモジュールで得られた画像を処理する制御部を有する輸送機器であり、例えば自動車を含む。
【００６４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００６５】
以上、本発明の実施の形態について説明した。なお、以上の説明は本発明の好適な実施の形態の例証であり、本発明の範囲はこれに限定されない。つまり、上記装置の構成や各部分の形状についての説明は一例であり、本発明の範囲においてこれらの例に対する様々な変更や追加が可能であることは明らかである。
【産業上の利用可能性】
【００６６】
本発明に係るレンズユニット及び、カメラモジュールは、製造が容易であり、光学特性に優れた小型化可能なカメラモジュールを実現する効果を有し、カメラ機能を有する携帯端末として有用である。
【符号の説明】
【００６７】
１０  カメラモジュール
２０  レンズ駆動装置
２１  レンズホルダ
２２、２４  バネ
２５  駆動コイル
２６  マグネット部
２７  ベース
２８  ヨーク
２９  蓋部
３０  撮像部
３２  モジュール基板
３４  撮像素子
３６  封止部材
４０  レンズユニット
４２、４３  レンズ群
４５  レンズバレル部（レンズ部の筐体）
６１  羽根部
６２、６３  羽根
６５  羽根駆動部
２１０  環状部
２１２  フランジ部
４５１  スリット（筐体の開口）
６２４、６３４  開口部
６２４ａ、６３２ａ  円形部分
６２４ｂ、６３４ｂ、  小突起部分
６５１  レバー部
６５６  軸部
６５９  レバー駆動部
【図１】
2018054823.tif 000003
【図２】
2018054823.tif 000004
【図３】
2018054823.tif 000005
【図４】
2018054823.tif 000006
【図５】
2018054823.tif 000007
【図６】
2018054823.tif 000008
【図７】
2018054823.tif 000009
【図８】
2018054823.tif 000010
【図９】
2018054823.tif 000011